(57)【要約】【課題】  小型の眼疲労回復装置を提供すること。【解決手段】  左右それぞれの接眼レンズと、眼疲労回復用の画像を表示する１つの画像表示部と、画像表示部に表示された画像を、左右それぞれの接眼レンズに分岐して導く光学系と、光学系と左右それぞれの接眼レンズとを結ぶ光路上に設けられ、ユーザにより目視される画像表示部の像の位置を、ユーザの眼の光軸方向と輻輳方向との少なくとも一方に変更する位置変更部とを備える。【選択図】      図１
2005334134.tif 000002
【特許請求の範囲】
【請求項１】
左右それぞれの接眼レンズと、
眼疲労回復用の画像を表示する１つの画像表示部と、
前記画像表示部に表示された画像を、前記左右それぞれの接眼レンズに分岐して導く光学系と、
前記光学系と前記左右それぞれの接眼レンズとを結ぶ光路上に設けられ、ユーザにより目視される前記画像表示部の像の位置を、前記ユーザの眼の光軸方向と輻輳方向との少なくとも一方に変更する位置変更部と
を備えたことを特徴とする眼疲労回復装置。
【請求項２】
左右それぞれの接眼レンズと、
眼疲労回復用の画像を表示する１つの画像表示部と、
前記画像表示部に表示された画像を、前記左右それぞれの接眼レンズに分岐して導く光学系と、
前記画像表示部と前記光学系とを結ぶ光路上に設けられ、ユーザにより目視される前記画像表示部の像の位置を、前記ユーザの眼の光軸方向に変更する位置変更部と
を備えたことを特徴とする眼疲労回復装置。
【請求項３】
左右それぞれの接眼レンズと、
前記左右それぞれの接眼レンズの光路上に設けられ、眼疲労回復用の画像を表示する１つの画像表示部と、
前記画像表示部に表示された画像を、前記左右それぞれの接眼レンズに分岐して導く光学系と、
前記画像表示部を、ユーザの眼の光軸方向に移動する移動部と
を備えたことを特徴とする眼疲労回復装置。
【請求項４】
左右それぞれの接眼レンズと、
前記左右それぞれの接眼レンズの光路上に設けられ、形と明るさと色との少なくとも一つが特異な絵柄を含む画像を表示する１つの画像表示部と、
前記画像表示部に表示された画像を、前記左右それぞれの接眼レンズに分岐して導く光学系と、
前記画像表示部が表示する前記画像における前記絵柄の位置と特徴との少なくとも一方を変更させる画像変更部と
を備えたことを特徴とする眼疲労回復装置。
【発明の詳細な説明】
【技術分野】
【０００１】
本発明は、眼疲労を回復するための眼疲労回復装置に関する。
【背景技術】
【０００２】
従来より、ユーザの眼の毛様体筋の運動を促すことにより眼疲労を回復するための装置や眼疲労回復機能を備えた表示装置が知られている（例えば、特許文献１参照）。このような装置では、左右の眼に対して、それぞれ画像を表示する表示器を備え、この表示器の虚像の位置を移動することにより、ユーザの眼の毛様体筋の運動を促すことが行われている。
【特許文献１】特開平１０−２８２４４９号公報
【発明の開示】
【発明が解決しようとする課題】
【０００３】
しかし、前述した装置では、左右の眼に対してそれぞれ表示器を備え、２つの表示器を移動することにより表示器の虚像の位置を移動する。そのため、２つの表示器を移動するための移動機構が必要であり、装置の小型化が難しいという問題があった。
本発明は、小型の眼疲労回復装置を提供することを目的とする。
【課題を解決するための手段】
【０００４】
請求項１に記載の眼疲労回復装置は、左右それぞれの接眼レンズと、眼疲労回復用の画像を表示する１つの画像表示部と、前記画像表示部に表示された画像を、前記左右それぞれの接眼レンズに分岐して導く光学系と、前記光学系と前記左右それぞれの接眼レンズとを結ぶ光路上に設けられ、ユーザにより目視される前記画像表示部の像の位置を、前記ユーザの眼の光軸方向と輻輳方向との少なくとも一方に変更する位置変更部とを備えたことを特徴とする。
【０００５】
請求項２に記載の眼疲労回復装置は、左右それぞれの接眼レンズと、眼疲労回復用の画像を表示する１つの画像表示部と、前記画像表示部に表示された画像を、前記左右それぞれの接眼レンズに分岐して導く光学系と、前記画像表示部と前記光学系とを結ぶ光路上に設けられ、ユーザにより目視される前記画像表示部の像の位置を、前記ユーザの眼の光軸方向に変更する位置変更部とを備えたことを特徴とする。
【０００６】
請求項３に記載の眼疲労回復装置は、左右それぞれの接眼レンズと、前記左右それぞれの接眼レンズの光路上に設けられ、眼疲労回復用の画像を表示する１つの画像表示部と、前記画像表示部に表示された画像を、前記左右それぞれの接眼レンズに分岐して導く光学系と、前記画像表示部を、ユーザの眼の光軸方向に移動する移動部とを備えたことを特徴とする。
【０００７】
請求項４に記載の眼疲労回復装置は、左右それぞれの接眼レンズと、前記左右それぞれの接眼レンズの光路上に設けられ、形と明るさと色との少なくとも一つが特異な絵柄を含む画像を表示する１つの画像表示部と、前記画像表示部に表示された画像を、前記左右それぞれの接眼レンズに分岐して導く光学系と、前記画像表示部が表示する前記画像における前記絵柄の位置と特徴との少なくとも一方を変更させる画像変更部とを備えたことを特徴とする。
【発明の効果】
【０００８】
本発明によれば、小型の眼疲労回復装置を提供することができる。
【発明を実施するための最良の形態】
【０００９】
《第１実施形態》
以下、図面を用いて本発明の第１実施形態について説明する。第１実施形態は、請求項１に対応する。
第１実施形態の眼疲労回復装置１は、図１の内部構成図に示すように、左接眼レンズ２、右接眼レンズ３、眼疲労回復用の画像を表示する１つの表示部４、左反射ミラー５、右反射ミラー６、中央反射ミラー７、ハーフミラー８、ダミーガラス９を備える。
【００１０】
表示部４は、小型液晶ディスプレイなどの表示器である。また、左反射ミラー５、右反射ミラー６、中央反射ミラー７、ハーフミラー８は、表示部４に表示された画像を、左接眼レンズ２および右接眼レンズ３に分岐して導くための光学系である。また、ダミーガラス９は、表示部４から左接眼レンズ２および右接眼レンズ３までの光路長を等しくするための光学素子である。
【００１１】
また、眼疲労回復装置１は、図１に示すように、前述した光学系（５〜８）と左接眼レンズ２および右接眼レンズ３とを結ぶ光路上に設けられ、ユーザにより目視される表示部４の像の位置をユーザの眼の光軸方向と輻輳方向とに変更する位置変更部１０を備える。位置変更部１０は、左シフトレンズ１１、右シフトレンズ１２、左シフトレンズ１１および右シフトレンズ１２をそれぞれ外装する左外装部１３および右外装部１４を備える。また、左外装部１３および右外装部１４にそれぞれ接続される左カムピン１５および右カムピン１６、左カムピン１５および右カムピン１６にそれぞれ対応する左カム溝１７および右カム溝１８を備える。
【００１２】
また、位置変更部１０は、図１に示すように、左外装部１３および右外装部１４を外装するシフトレンズ外装部１９、シフトレンズ外装部１９に接続され、シフトレンズ外装部１９を駆動するシフトレンズ駆動部２０、シフトレンズ外装部１９の位置を検出するためのホール素子２１Ａ〜２１Ｃを備える。
シフトレンズ駆動部２０は、シフトレンズ外装部１９を図１の矢印ａの方向に駆動する。シフトレンズ外装部１９が図１の矢印ａの方向に駆動されると、左外装部１３および右外装部１４に接続された左カムピン１５および右カムピン１６が左カム溝１７および右カム溝１８に沿って図１矢印ｂおよびｃの方向に移動する。したがって、左シフトレンズ１１および右シフトレンズ１２が、図１矢印ｂおよびｃの方向に移動される。
【００１３】
なお、左シフトレンズ１１および右シフトレンズ１２の位置は、ホール素子２１Ａ〜２１Ｃおよび不図示のマグネットの位置関係に応じて検出される。図１において、左シフトレンズ１１および右シフトレンズ１２が実線で示されている位置を、左シフトレンズ１１および右シフトレンズ１２の「初期位置」と称し、その上下に破線で示されている位置を、左シフトレンズ１１および右シフトレンズ１２の「リミット位置」と称する。
【００１４】
このように、左シフトレンズ１１および右シフトレンズ１２を移動することにより、左接眼レンズ７および右接眼レンズ８を介してユーザにより目視される表示部４の像の位置を、ユーザの眼の光軸方向と輻輳方向とに移動することができる。
さらに、眼疲労回復装置１は、ホール素子２１Ａ〜２１Ｃの近傍に制御部２２を備える。図２は、眼疲労回復装置１の制御ブロック図である。制御部２２は、図２に示すように、ホール素子２１Ａ〜２１Ｃの状態を検知する。また、制御部２２は、表示部４、シフトレンズ駆動部２０を制御する。
【００１５】
なお、左接眼レンズ２および右接眼レンズ３は、請求項の「左右それぞれの接眼レンズ」に対応し、表示部４は、請求項の「画像表示部」に対応する。また、左反射ミラー５、右反射ミラー６、中央反射ミラー７、ハーフミラー８は、請求項の「光学系」に対応し、位置変更部１０は、請求項の「位置変更部」に対応する。
以上説明した構成の眼疲労回復装置１において、不図示の電源ボタンがＯＮされると制御部２２は左シフトレンズ１１および右シフトレンズ１２の位置を検知し、眼疲労回復動作を行う。
【００１６】
制御部２２は、まず、左シフトレンズ１１および右シフトレンズ１２を、「初期位置」に移動させる。そして、制御部２２は、表示部４に眼疲労回復用の画像を表示させる。眼疲労回復用の画像とは、ユーザが認知しやすく、しかも視線の定まりやすい位置（表示部４の中心付近）に、視標（ユーザの視線を集める対象）となる絵柄（例えば、飛行機、自動車など、前後に移動してもユーザが違和感を感じない絵柄）を含む画像である。なお、このような画像は、予め制御部２２内の不図示のメモリに記録されている。
【００１７】
そして、制御部２２は、シフトレンズ駆動部２０を介して、左シフトレンズ１１および右シフトレンズ１２を、「初期位置」を挟んだ両方の「リミット位置」まで往復移動させる。このように左シフトレンズ１１および右シフトレンズ１２を移動することにより、左接眼レンズ２および右接眼レンズ３を介して、ユーザにより目視される表示部４の像の位置をユーザの眼の光軸方向と輻輳方向とに変更する。そのため、ユーザの眼の毛様体筋の運動を促すことができる。
【００１８】
以上説明したように、第１実施形態によれば、左右それぞれの接眼レンズと１つの表示部４とを備え、表示部に表示された画像を、左右それぞれの接眼レンズに分岐して導くとともに、ユーザにより目視される表示部の像の位置を、ユーザの眼の光軸方向と輻輳方向とに変更する。そのため、表示部を左右それぞれに備える必要がないので、眼疲労回復装置の小型化を実現することができる。また、表示部を左右それぞれに備える場合に発生する２つの表示器の間の位置ずれや、２つの表示器における画像の品質や画像に含まれる視標の位置の相違を回避することが可能であり、さらに、眼疲労回復動作中のユーザの眼への負担を軽減することが可能であるので、効果的に眼疲労を回復することができる。
【００１９】
なお、第１実施形態では、ユーザにより目視される表示部４の像の位置を、ユーザの眼の光軸方向と輻輳方向とに変更する例を示したが、光軸方向のみに変更しても良いし、輻輳方向のみに変更しても良い。光軸方向のみに変更する場合は、左カム溝１７と右カム溝１８とは、各々光軸に沿って延設する構成にすれば良い。
《第２実施形態》
以下、図面を用いて本発明の第２実施形態について説明する。第２実施形態は請求項２に対応する。
【００２０】
第２実施形態の眼疲労回復装置３０は、図３の内部構成図に示すように、左接眼レンズ３２、右接眼レンズ３３、眼疲労回復用の画像を表示する１つの表示部３４、左反射ミラー３５、右反射ミラー３６、中央反射ミラー３７、ハーフミラー３８、ダミーガラス３９を備える。
表示部３４は、小型液晶ディスプレイなどの表示器である。また、左反射ミラー３５、右反射ミラー３６、中央反射ミラー３７、ハーフミラー３８は、表示部３４に表示された画像を、左接眼レンズ３２および右接眼レンズ３３に分岐して導くための光学系である。また、ダミーガラス３９は、表示部３４から左接眼レンズ３２および右接眼レンズ３３までの光路長を等しくするための光学素子である。
【００２１】
また、眼疲労回復装置３０は、図３に示すように、前述した表示部３４と光学系（３５〜３８）とを結ぶ光路上に設けられ、ユーザにより目視される表示部３４の像の位置をユーザの眼の光軸方向に変更する位置変更部４０を備える。位置変更部４０は、１つのシフトレンズ４１、シフトレンズ４１を外装する外装部４２を備える。また、外装部４２に接続されるカムピン４３、カムピン４３に対応し、ユーザの眼の光軸に沿って延設されたカム溝４４を備える。
【００２２】
また、位置変更部４０は、図３に示すように、外装部４２をさらに外装するシフトレンズ外装部４５、シフトレンズ外装部４５に接続され、シフトレンズ外装部４５をユーザの眼の光軸に沿って駆動させるシフトレンズ駆動部４６、シフトレンズ外装部４５の位置を検出するためのホール素子４７Ａ〜４７Ｃを備える。
シフトレンズ駆動部４６は、シフトレンズ外装部４５を図３の矢印ｄの方向に駆動させる。シフトレンズ外装部４５が図３の矢印ｄの方向に駆動されると、外装部４２に接続されたカムピン４３がカム溝４４に沿って図３矢印ｄの方向に移動する。したがって、シフトレンズ４１が、図３矢印ｄの方向に移動される。
【００２３】
なお、シフトレンズ４１の位置は、ホール素子４７Ａ〜４７Ｃおよび不図示のマグネットの位置関係に応じて検出される。図３において、シフトレンズ４１が実線で示されている位置を、シフトレンズ４１の「初期位置」と称し、その上下に破線で示されている位置を、シフトレンズ４１の「リミット位置」と称する。
このように、シフトレンズ４１を移動することにより、左接眼レンズ３２および右接眼レンズ３３を介してユーザにより目視される表示部３４の像の位置を、ユーザの眼の光軸方向に移動することができる。
【００２４】
さらに、眼疲労回復装置３０は、第１実施形態と同様に、ホール素子４７Ａ〜４７Ｃの近傍に制御部４８を備える。この制御部４８は、第１実施形態の制御部２２と同様に、ホール素子４７Ａ〜４７Ｃの状態を検知するとともに、表示部３４、シフトレンズ駆動部４６を制御する。
なお、左接眼レンズ３２および右接眼レンズ３３は、請求項の「左右それぞれの接眼レンズ」に対応し、表示部３４は、請求項の「画像表示部」に対応する。また、左反射ミラー３５、右反射ミラー３６、中央反射ミラー３７、ハーフミラー３８は、請求項の「光学系」に対応し、位置変更部４０は、請求項の「位置変更部」に対応する。
【００２５】
以上説明した構成の眼疲労回復装置３０において、不図示の電源ボタンがＯＮされると制御部４８はシフトレンズ４１の位置を検知し、眼疲労回復動作を行う。
制御部４８は、まず、シフトレンズ４１を、「初期位置」に移動させる。そして、制御部４８は、表示部３４に眼疲労回復用の画像を表示させる。眼疲労回復用の画像とは、第１実施形態と同様に、ユーザが認知しやすく、しかも視線の定まりやすい位置（表示部３４の中心付近）に、視標（ユーザの視線を集める対象）となる絵柄（例えば、飛行機、自動車など、前後に移動してもユーザが違和感を感じない絵柄）を含む画像である。なお、このような画像は、予め制御部４８内の不図示のメモリに記録されている。
【００２６】
そして、制御部４８は、シフトレンズ駆動部４６を介して、シフトレンズ４１を、「初期位置」を挟んだ両方の「リミット位置」まで往復移動させる。このようにシフトレンズ４１を移動することにより、左接眼レンズ３２および右接眼レンズ３３を介して、ユーザにより目視される表示部３４の像の位置をユーザの眼の光軸方向に変更する。そのため、ユーザの眼の毛様体筋の運動を促すことができる。
【００２７】
以上説明したように、第２実施形態によれば、左右それぞれの接眼レンズと１つの表示部３４とを備え、表示部に表示された画像を、左右それぞれの接眼レンズに分岐して導くとともに、ユーザにより目視される表示部の像の位置を、ユーザの眼の光軸方向に変更する。そのため、表示部を左右それぞれに備える必要がない。さらに、ユーザにより目視される表示部３４の像の位置を、ユーザの眼の光軸方向に変更するための位置変更部を左右で共通としたため、眼疲労回復装置の大幅な小型化を実現することができる。また、第１実施形態と同様に、表示部を左右それぞれに備える場合に発生する２つの表示器の位置ずれや、２つの表示器における画像の品質や画像に含まれる視標の位置の相違を回避することが可能であり、さらに、眼疲労回復動作中のユーザの眼への負担を軽減することが可能であるので、効果的に眼疲労を回復することができる。
【００２８】
《第３実施形態》
以下、図面を用いて本発明の第３実施形態について説明する。第３実施形態は請求項３に対応する。
第３実施形態の眼疲労回復装置５０は、図４の内部構成図に示すように、左接眼レンズ５２、右接眼レンズ５３、眼疲労回復用の画像を表示する１つの表示部５４、左反射ミラー５５、右反射ミラー５６、中央反射ミラー５７、ハーフミラー５８、ダミーガラス５９を備える。
【００２９】
表示部５４は、小型液晶ディスプレイなどの表示器である。また、左反射ミラー５５、右反射ミラー５６、中央反射ミラー５７、ハーフミラー５８は、表示部５４に表示された画像を、左接眼レンズ５２および右接眼レンズ５３に分岐して導くための光学系である。また、ダミーガラス５９は、表示部５４から左接眼レンズ５２および右接眼レンズ５３までの光路長を等しくするための光学素子である。
【００３０】
また、眼疲労回復装置５０は、図４に示すように、表示部５４をユーザの眼の光軸方向に変更する位置変更部６０を備える。位置変更部６０は、表示部５４に接続されるカムピン６１、カムピン６１に対応するカム溝６２を備える。
また、位置変更部６０は、図４に示すように、表示部５４を外装する表示部外装部６３、表示部外装部６３に接続され、表示部外装部６３を駆動する表示部駆動部６４、表示部外装部６３の位置を検出するためのホール素子６５Ａ〜６５Ｃを備える。
【００３１】
表示部駆動部６４は、表示部外装部６３を図４の矢印ｅの方向に駆動する。表示部外装部６３が図４の矢印ｅの方向に駆動されると、表示部５４に接続されたカムピン６１がカム溝６２に沿って図４矢印ｅの方向に移動する。したがって、表示部５４が、図４矢印ｅの方向に移動される。
なお、表示部５４の位置は、ホール素子６５Ａ〜６５Ｃおよび不図示のマグネットの位置関係に応じて検出される。図４において、表示部５４が実線で示されている位置を、表示部５４の「初期位置」と称し、その上下に破線で示されている位置を、表示部５４の「リミット位置」と称する。
【００３２】
このように、表示部５４を移動することにより、左接眼レンズ５２および右接眼レンズ５３を介してユーザにより目視される表示部５４の像の位置を、ユーザの眼の光軸方向に移動することができる。
さらに、眼疲労回復装置５０は、第１実施形態と同様に、ホール素子６５Ａ〜６５Ｃの近傍に制御部６６を備える。この制御部６６は、ホール素子６５Ａ〜６５Ｃの状態を検知するとともに、表示部５４、表示部駆動部６４を制御する。
【００３３】
なお、左接眼レンズ５２および右接眼レンズ５３は、請求項の「左右それぞれの接眼レンズ」に対応し、表示部５４は、請求項の「画像表示部」に対応する。また、左反射ミラー５５、右反射ミラー５６、中央反射ミラー５７、ハーフミラー５８は、請求項の「光学系」に対応し、位置変更部６０は、請求項の「位置変更部」に対応する。
以上説明した構成の眼疲労回復装置５０において、不図示の電源ボタンがＯＮされると制御部６６は表示部５４の位置を検知し、眼疲労回復動作を行う。
【００３４】
制御部６６は、まず、表示部５４を、「初期位置」に移動させる。そして、制御部６６は、表示部５４に眼疲労回復用の画像を表示させる。眼疲労回復用の画像とは、第１実施形態と同様に、ユーザが認知しやすく、しかも視線の定まりやすい位置（表示部５４の中心付近）に、視標（ユーザの視線を集める対象）となる絵柄（例えば、飛行機、自動車など、前後に移動してもユーザが違和感を感じない絵柄）を含む画像である。なお、このような画像は、予め制御部６６内の不図示のメモリに記録されている。
【００３５】
そして、制御部６６は、表示部駆動部６４を介して、表示部５４を、「初期位置」を挟んだ両方の「リミット位置」まで往復移動させる。このように表示部５４を移動することにより、左接眼レンズ５２および右接眼レンズ５３を介して、ユーザにより目視される表示部５４の像の位置をユーザの眼の光軸方向に変更する。そのため、ユーザの眼の毛様体筋の運動を促すことができる。
【００３６】
以上説明したように、第３実施形態によれば、左右それぞれの接眼レンズと１つの表示部５４とを備え、表示部に表示された画像を、左右それぞれの接眼レンズに分岐して導くとともに、ユーザにより目視される表示部の像の位置を、ユーザの眼の光軸方向に変更する。そのため、表示部を左右それぞれに備える必要がない。さらに、ユーザにより目視される表示部５４の像の位置を、ユーザの眼の光軸方向に変更するための位置変更部を左右で共通としたため、眼疲労回復装置の大幅な小型化を実現することができる。また、第１実施形態と同様に、表示部を左右それぞれに備える場合に発生する２つの表示器の位置ずれや、２つの表示器における画像の品質や画像に含まれる視標の位置の相違を回避することが可能であり、さらに、眼疲労回復動作中のユーザの眼への負担を軽減することが可能であるので、効果的に眼疲労を回復することができる。
【００３７】
なお、第１実施形態から第３実施形態では、表示部は、小型液晶ディスプレイなどの表示器である例を示したが、スライドフィルムを入れたホルダ７０およびバックライト７１に置き換えても良い。例えば、図５に示すように、ホルダ７０を眼疲労回復装置に対して着脱可能にしても良い。このような構成にすることにより、電源を節約することができ、また、ユーザは好みのスライドフィルムを使用して眼疲労回復動作を行うことができる。
【００３８】
《第４実施形態》
以下、図面を用いて本発明の第４実施形態について説明する。第４実施形態は、請求項４に対応する。
第４実施形態の眼疲労回復装置８０は、図６の内部構成図に示すように、左接眼レンズ８２、右接眼レンズ８３、眼疲労回復用の画像を表示する１つの表示部８４、左反射ミラー８５、右反射ミラー８６、中央反射ミラー８７、ハーフミラー８８、ダミーガラス８９を備える。
【００３９】
表示部８４は、小型液晶ディスプレイなどの表示器である。また、左反射ミラー８５、右反射ミラー８６、中央反射ミラー８７、ハーフミラー８８は、表示部８４に表示された画像を、左接眼レンズ８２および右接眼レンズ８３に分岐して導くための光学系である。また、ダミーガラス８９は、表示部８４から左接眼レンズ８２および右接眼レンズ８３までの光路長を等しくするための光学素子である。
【００４０】
また、眼疲労回復装置８０は、制御部９０を備える。この制御部９０は、表示部８４を制御する。
第４実施形態の眼疲労回復装置８０は、第１実施形態の眼疲労回復装置１と異なり、ユーザにより目視される表示部の像の位置を変更させるための移動機構を持たない。その代わりに、第４実施形態では、表示部８４が表示する眼疲労回復用の画像に含まれる視標の位置を変更させる（詳細は後述する）。眼疲労回復用の画像とは、ユーザが認知しやすく、しかも視線の定まりやすい位置（表示部８４の中心付近）に、視標となる絵柄（例えば、飛行機、自動車など、前後に移動してもユーザが違和感を感じない絵柄）を含む画像である。この絵柄は、請求項の「形と明るさと色との少なくとも一つが特異な絵柄」に対応する。このような画像は、制御部９０内の不図示のメモリに予め記録されている。
【００４１】
なお、左接眼レンズ８２および右接眼レンズ８３は、請求項の「左右それぞれの接眼レンズ」に対応し、表示部８４は、請求項の「画像表示部」に対応する。また、左反射ミラー８５、右反射ミラー８６、中央反射ミラー８７、ハーフミラー８８は、請求項の「光学系」に対応し、制御部９０は、請求項の「画像変更部」に対応する。
以上説明した構成の眼疲労回復装置８０において、不図示の電源ボタンがＯＮされると制御部９０はこれを検知し、眼疲労回復動作を行う。
【００４２】
制御部９０は、表示部４に眼疲労回復用の画像を表示させる。
そして、制御部９０は、眼疲労回復用の画像における視標の位置を、ユーザの眼の輻輳方向に変更させる。このように視標の位置を変更させることにより、ユーザの眼の毛様体筋の運動を促すことができる。
以上説明したように、第４実施形態によれば、左右それぞれの接眼レンズと、形と明るさと色との少なくとも一つが特異な絵柄を含む画像を表示する１つの表示部４とを備え、表示部に表示された画像を、左右それぞれの接眼レンズに分岐して導くとともに、表示部４が表示する画像における絵柄の位置と特徴との少なくとも一方を変更させる。そのため、表示部を左右それぞれに備える必要がない。さらに、ユーザにより目視される表示部の像の位置を、ユーザの眼の光軸方向に変更するための位置変更部を備える必要がないので、眼疲労回復装置の大幅な小型化を実現することができる。また、表示部を左右それぞれに備える場合に発生する２つの表示器の位置ずれや、２つの表示器における画像の品質や画像に含まれる視標の位置の相違を回避することが可能であり、さらに、眼疲労回復動作中のユーザの眼への負担を軽減することが可能であるので、効果的に眼疲労を回復することができる。
【００４３】
なお、第４実施形態では、表示部４が表示する画像における視標の位置を変更させることにより、ユーザの眼を輻輳方向に運動させて眼疲労回復を促す例を示したが、視標の大きさを変更させるようにしても良い。視標の大きさを変更させることにより、ユーザにより目視される像の位置を光軸方向に変更する場合（第１実施形態から第３実施形態参照）と同様の効果を得ることができる。また、視標の位置と大きさとの両方を変更させるようにしても良いし、さらに視標の形や明るさなどを変更させるようにしても良い。なお、前述した視標の大きさと形と明るさとは、請求項の「絵柄の位置と特徴」のうち、「特徴」に対応する。
【００４４】
なお、第１実施形態から第４実施形態において、眼疲労回復動作用の画像は、制御部に記録されている例を示したが、何種類かの画像を予め用意しておき、ユーザに選択させるようにしても良い。
【図面の簡単な説明】
【００４５】
【図１】第１実施形態の眼疲労回復装置１の内部構成図である。
【図２】第１実施形態の眼疲労回復装置１の制御ブロック図である。
【図３】第２実施形態の眼疲労回復装置３０の内部構成図である。
【図４】第３実施形態の眼疲労回復装置５０の内部構成図である。
【図５】第１実施形態から第３実施形態の眼疲労回復装置を右方から見た内部構成図である。
【図６】第４実施形態の眼疲労回復装置８０の内部構成図である。
【符号の説明】
【００４６】
１，３０，５０，８０  眼疲労回復装置
２，３２，５２，８２  左接眼レンズ
３，３３，５３，８３  右接眼レンズ
４，３４，５４，８４  表示部
５，３５，５５，８５  左反射ミラー
６，３６，５６，８６  右反射ミラー
７，３７，５７，８７  中央反射ミラー
８，３８，５８，８８  ハーフミラー
９，３９，５９，８９  ダミーガラス
１０，４０，６０  位置変更部
１１  左シフトレンズ
１２  右シフトレンズ
１３  左外装部
１４  右外装部
１５  左カムピン
１６  右カムピン
１７  左カム溝
１８  右カム溝
１９  シフトレンズ外装部
２０，４６  シフトレンズ駆動部
２１Ａ〜２１Ｃ，４７Ａ〜４７Ｃ，６５Ａ〜６５Ｃ  ホール素子
２２，４８，６６，９０  制御部
４１  シフトレンズ
４２  外装部
４３，６１  カムピン
４４，６２  カム溝
４５  シフトレンズ外装部
６３  表示部外装部
６４  表示部駆動部
７１  ホルダ
７２  バックライト
【図１】
2005334134.tif 000003
【図２】
2005334134.tif 000004
【図３】
2005334134.tif 000005
【図４】
2005334134.tif 000006
【図５】
2005334134.tif 000007
【図６】
2005334134.tif 000008